(57)【特許請求の範囲】
【請求項１】
ガス絶縁開閉装置に使用される避雷装置において、容器内に当該容器と絶縁して避雷器をその接地側電極を下にして立設し、該接地側電極に電気的に接続された固定コンタクトを設けるとともに、この固定コンタクトと一端側が接離可能な可動コンタクトを設け、該可動コンタクトの他端側は前記容器の底部をガスシールを施して摺動自在に貫通し、その端部を容器外に突出させ、該突出部を取り外し可能に容器に固定するとともに、接地するようにしたものであって、
前記避雷器を三相分配置し、各避雷器における可動コンタクトの突出部を接地導体バーで連結するとともに補助接地線を設け、避雷器の切り離し操作時には、各可動コンタクトの容器への固定を解き、各可動コンタクトを接地導体バーにより三相一括して固定コンタクトから開離するようにしたことを特徴とする避雷装置。
【請求項２】
ガス絶縁開閉装置に使用される避雷装置において、容器内に当該容器と絶縁して避雷器をその接地側電極を下にして立設し、該接地側電極に電気的に接続された固定コンタクトを設けるとともに、この固定コンタクトと一端側が接離可能な可動コンタクトを設け、該可動コンタクトの他端側は前記容器の底部をガスシールを施して摺動自在に貫通し、その端部を容器外に突出させ、該突出部を取り外し可能に容器に固定するとともに、接地するようにしたものであって、
前記避雷器を三相分配置し、各避雷器における可動コンタクトの突出部を絶縁バーで連結し、且つ容器と絶縁して共通の接地導体を設け、該接地導体と前記各可動コンタクトとを主接地接続線と補助接地接続線で接続し、避雷器の切り離し操作時には、主接地接続線を取り外すとともに、各可動コンタクトの容器への固定を解き、各可動コンタクトを前記絶縁バーにより三相一括して固定コンタクトから開離するようにしたことを特徴とする避雷装置。
【発明の詳細な説明】
【０００１】
【発明の属する技術分野】
本発明は、発電所、変電所等に設置されるガス絶縁開閉装置に使用される避雷装置に関し、特に、その接地構成に関する。
【０００２】
【従来の技術】
ガス絶縁開閉装置には、開閉装置や変圧器を雷等の異常電圧から保護するために避雷器が設置されている。また、このガス絶縁開閉装置は変電所に設置する場合、運転に先立って耐電圧試験を実施し、電気的絶縁特性の確認が行われる。
【０００３】
この耐電圧試験時には避雷器に試験電圧が印加されないように、避雷器を切り離して行われる。
【０００４】
図４はこの切り離しを避雷器の接地側で行う従来例を示す。（特開平４−１２３７８１号公報）
同図において、２１は避雷器で、該避雷器２１は、その接地側に、電極２２を有し、この電極２２を下側にして絶縁筒２３を介して金属容器２４の底部に立設されている。電極２２には固定側接触子２５が設けられている。また、固定側接触子２５と対向する位置に、可動接触子２６が接離可能に配設されている。
【０００５】
そして、この可動接触子２６は、金属容器２４の外側に配設された接地開閉器２７内に設けられた絶縁リンク２８、レバー２９を介して、主軸３０に連結され、主軸３０を回動操作することにより、可動接触子２６を水平方向に移動させ、固定コンタクト２５と接続、断路するように構成されている。
【０００６】
また、可動接触子２６は、水平方向に移動するとき、摺動コンタクト３１に電気的接触を保ちながら案内され、更に、摺動コンタクト３１は、絶縁接地端子３２を介して接地（アース）されるようになっている。
【０００７】
なお、図中３３は金属容器２４内に充填された絶縁ガス、３４は導体、３５は接触子を示している。
【０００８】
現地耐電圧試験時に、避雷器に試験電圧がかからないように、他のガス絶縁開閉装置から切り離す場合は、接地開閉器２７の主軸３０を図の時計方向に回転し、レバー２９、リンク２８を介して可動接触子２６を右側に移動して、固定側接触子２５と切り離す。
【０００９】
【発明が解決しようとする課題】
この従来の避雷器は、金属容器の外側に設けた接地開閉器を操作することで、避雷器を接続したり、切り離すことが容易に行えるので、マンホールの蓋を取り外して内部で切り離すのと比較して極めて容易に避雷器への試験電圧の印加を回避できる効果がある。
【００１０】
しかし、接地開閉器は、金属容器の側面に突設するのでその分出っ張り、外部に大きなスペースを必要とし、また、可動接触子を動かす機構を必要とする。そこで、本発明において解決しようとする課題は、この接地開閉器の出っ張りを無くし、且つ可動接触子を動かす機構を無くすることにある。
【００１１】
【課題を解決するための手段】
上記の課題を解決するための手段は、ガス絶縁開閉装置に使用される避雷装置において、容器内に当該容器と絶縁して避雷器をその接地側電極を下にして立設し、該接地側電極に電気的に接続された固定コンタクトを設けるとともに、この固定コンタクトと一端側が接離可能な可動コンタクトを設け、該可動コンタクトの他端側は前記容器の底部をガスシールを施して摺動自在に貫通し、その端部を容器外に突出させ、該突出部を取り外し可能に容器に固定するとともに、接地するようにし、容器の下方で可動コンタクトを操作するようにして、金属容器の側部への出っ張りは無くなり、また、可動コンタクトは、通常のボルト等の取付手段で取り外し可能に固定するだけであるから、従来のような可動接触子を動かすための特別の機構は不用となる。
【００１２】
また、避雷器は一般的に容器の中に三相分配置されるが、かかる場合、本発明においては各避雷器における可動コンタクトの突出部を接地導体バーで連結するとともに補助接地線を設け、避雷器の切り離し操作時には、各可動コンタクトを容器への固定を解き、各可動コンタクトを接地導体バーにより三相一括して固定コンタクトから開離するようにするものである。
【００１３】
更に、避雷器を三相分配置し、各避雷器における可動コンタクトの突出部を絶縁バーで連結し、且つ容器と絶縁して共通の接地導体を設け、該接地導体と前記各可動コンタクトとを主接地接続線と補助接地接続線で接続し、避雷器の切り離し操作時には主接地接続線を取り外すとともに、各可動コンタクトを容器への固定を解き、各可動コンタクトを前記絶縁バーにより三相一括して固定コンタクトから開離するものである。
【００１４】
避雷器を三相分配置する場合は一直線上に配列してもよいし、また、正三角形状に配置してもよい。
【００１５】
また、この三相分配列した各避雷器の可動コンタクトを接地導体バー又は絶縁バーにより一括操作する場合は、昇降装置を使用することを好適とするが、他の手段でもよい。
【００１６】
【発明の実施の形態】
以下、本発明の実施の形態について説明する。
【００１７】
図１はガス絶縁開閉装置における本発明の避雷装置の取付構成の説明図で、避雷器１は、絶縁ガスとともに金属容器２，取付板３による容器の内部に設置される。
【００１８】
この避雷器１はＺｎＯ素子を複数枚積み重ねて成り、接地側は金属容器２内の取付板３上に絶縁支持碍子４，支持部材５を介して立設され、線路側（上端側）は母線導体６に接続されている。
【００１９】
支持部材５の内部には避雷器１の接地側電極７と、該電極７に一端が固定的に接触し、他端側に可動コンタクト８が挿出入される接触部を有する固定コンタクト９が設けられている。この固定コンタクト９に一端が挿入される可動コンタクト８は、他端が取付板３を気密に貫通し、その先端部が取付板３の外部に突出される。１０はこの貫通部に設けた絶縁物より成るガスシールで、取付板３に固設され、ガスケット又はＯリング等により気密を保持し、且つ可動コンタクト８が摺動可能に挿通されている。
【００２０】
１１は絶縁物より成る固定板で、固定板取付ボルト１２により取り付け、取り外しが行われ、固定板取付ボルト１２を取り外すことで、固定板１１を取り外し、可動コンタクト８を上下に移動させることができ、取り付けることで、可動コンタクト８を固定できる。
【００２１】
１３は可動コンタクト８の先端部に設けたストッパー、１４は可動コンタクト８の取付板３から突出した端部の接地導体取付部１５に取り付けられた接地導体を示し、この接地導体を介して接地される。
【００２２】
図２は図１の側面図で、避雷器１は三相一直線上に配置され、接地導体１４は、各避雷器の接地導体取付部１５に接続され、三相一括して主接地線１６を介して接地される。１７は可撓性のある線からなる補助接地線で、接地導体１４に接続され、主接地線１６が取り外されたときでも接地導体１４の接地を保持する。
【００２３】
図２は、三相分の避雷器を一直線上に配列した本発明の実施の形態で、本発明は各避雷器における可動コンタクトの容器外突出部に接続した接地導体１４を接地導体バー１４’で構成し、可動コンタクトの開離を一括して行うようにしたものである。なお、同図において１６は主接地線で接地導体バー１４’を接地する。１７は補助接地線で、可撓性のリード線から成り、常時接地導体バー１４’を接地している。
【００２４】
次に、ガス絶縁開閉装置を耐電圧試験を行うために、避雷器を、他のガス絶縁開閉器から切り離す場合について説明する。
【００２５】
図２（Ａ）は避雷器が接続されている状態、（Ｂ）は切り離した状態を示している。
【００２６】
この（Ａ）の状態から切り離す場合は、例えば、昇降装置４０を使用する。
【００２７】
昇降装置４０は絶縁パイプ４１と、この絶縁バイプ４１内に挿入されるねじ棒４２とから成り、操作部４３を回転操作することにより絶縁パイプ４１を下方に移動させる。
【００２８】
避雷器の切り離し操作は、まず、各避雷器の固定取付ボルト１２を取り外して固定板１１を取り外し、主接地線１６を接地導体バー１４’から切り離し、次に昇降装置４０の先端を、一直線上に配置した三相避雷器の真ん中の、避雷器の接地導体取付部１５に螺合し、操作部４３を操作し、絶縁パイプ４１を下げ、同図（Ｂ）の状態とする。この下げる限度はストッパー１３がガスシール１０（又は取付板３）に当接するまでとする。
【００２９】
このとき、主接地線１６が切り離されても、補助接地線１７は接地されているので、可動コンタクト８と接地導体バー１４’は中間電位となることはない。
【００３０】
図３は他の実施の形態で、共通の接地導体１４”を取付板３の下面に絶縁支持部材１８を介して設け、図２の接地導体バー１４’に代え、絶縁バー１９で三相一括に連結し、各避雷器の可動コンタクト８の接地導体取付部１５と共通の接地導体１４”とを主接地接続線１６’と補助接地接続線１７’で接続し、共通の接地導体１４”は直接接地し、避雷器の切り離しのときは、主接地接続線１６’を可動コンタクト側から取り外し、図２と同様の操作手順で各避雷器の可動コンタクトを固定コンタクトから切り離す。この実施例は、接地導体から主接地線を切り離す作業が不用となる。
【００３１】
なお、三相の避雷器を正三角状に配置した場合は、三角の中心点から各避雷器の可動コンタクトと接地導体バー又は絶縁バーで連結し、その中心点を昇降装置等で操作すれば、上記と同様に一括操作が可能となる。
【００３２】
【発明の効果】
本発明は以上のように、可動コンタクトの一端側をガスシールを介して金属容器の底面の外側に突出させ、底面外側から可動コンタクトを垂直に移動可能としたので、従来のように金属容器の側面に接地開閉器を設ける必要は無くなり、その分のスペースが不用となり、しかも、可動接触子を動かす機構も必要でなくなった。
【００３３】
更に、可動コンタクトに直接接地導体を接続するようにしたので、従来のような可動コンタクトを接地するための摺動コンタクト、絶縁接地端子も不用となり、全体的に使用部品点数が減り、コストの低減を図れる等の効果を奏する。
【図面の簡単な説明】
【図１】本発明の要部断面正面図。
【図２】本発明の側面図による操作説明図。
【図３】本発明の他の実施の形態の要部断面図。
【図４】従来の避雷器の要部断面図。
【符号の説明】
１…避雷器
２…金属容器
３…取付板
４…支持碍子
５…支持部材
６…母線導体
７…接地側電極
８…可動コンタクト
９…固定コンタクト
１０…ガスシール
１１…固定板
１２…固定板取付ボルト
１３…ストッパー
１４…接地導体
１４’…接地導体バー
１４”…共通の接地導体
１５…接地導体取付部
１６…主接地線
１６’…主接地接続線
１７…補助接地線
１７’…補助接地接続線
１８…絶縁支持部材
１９…絶縁バー
【図１】
0003849165.tif 000002
【図２】
0003849165.tif 000003
【図３】
0003849165.tif 000004
【図４】
0003849165.tif 000005